(57)【要約】【課題】外郭を分離する際の良好な操作性と適当な嵌合強度を両立しつつデザインや機能上の制約が少ない電気機器の外郭構造を提供する。【解決手段】硬貨Ｃが挿入される挿入凹部１６，２７が嵌合爪１５5並びに当該嵌合爪１５5と嵌合する嵌合溝２２5に対して結合方向と交差する方向において重なる位置に配置されているので、従来例に比較して嵌合爪１５、嵌合溝２２、挿入凹部１６，２７の配置に関するデザインや機能上の制約が少なくなる。しかも、結合方向と交差する方向において挿入凹部１６，２７と重なる位置にある嵌合爪１５5の開口面に沿った両端部が外側に向かって徐々に突出量が小さくなるように傾斜しているので、嵌合爪１５5と嵌合溝２２5との嵌合量（中央部の嵌合量ｘ）を減らさなくても両者の嵌合を容易に外すことが可能であって外郭を分離する際の良好な操作性と適当な嵌合強度を両立することができる。【選択図】図１
2007299803.tif 000002
【特許請求の範囲】
【請求項１】
合成樹脂成形品からなる外郭内に電気部品を収納してなる電気機器の外郭構造であって、
外郭は、一面が開口した箱状のボディとカバーを有し互いの開口面を突き合わせる形でボディとカバーを結合してなり、ボディの開口面には結合方向に沿ってカバーに近づく向きに突出する突壁が設けられるとともに、突壁の外周面における要所には結合方向と交差する方向に沿って外向きに突出する複数の嵌合爪が形成され、カバーには開口面との間に薄肉の壁部を挟む形で結合方向と交差する方向に沿って内向きに開口した複数の嵌合溝が要所に設けられ、ボディとカバーを互いに結合向きに押しつけたときに嵌合爪が弾性変形し壁部を乗り越えて嵌合溝と嵌合することでボディとカバーが結合されるものにおいて、
ボディとカバーの開口面には結合方向と交差する方向に沿って外向きに開口し板状の部材が挿入される挿入凹部が設けられ、何れかの嵌合爪並びに当該嵌合爪と嵌合する嵌合溝に対して結合方向と交差する方向において重なる位置に前記挿入凹部が配置されるとともに、結合方向と交差する方向において挿入凹部と重なる位置にある嵌合爪の開口面に沿った両端部が外側に向かって徐々に突出量が小さくなるように傾斜していることを特徴とする電気機器の外郭構造。
【発明の詳細な説明】
【技術分野】
【０００１】
本発明は、合成樹脂成形品からなる外郭内に電気部品を収納してなる電気機器の外郭構造に関するものである。
【背景技術】
【０００２】
従来より、合成樹脂成形品からなる外郭内に電気部品を収納してなる電気機器の外郭構造が種々提供されている（例えば、特許文献１〜３参照）。
【０００３】
例えば図４に示すように、外郭は、一面が開口した箱状のボディ１とカバー２を有し互いの開口面（図４における表面）を突き合わせる形でボディ１とカバー２を結合してなり、ボディ１の開口面には結合方向に沿ってカバー２に近づく向きに突出する突壁１４が設けられるとともに、突壁１４の外周面における要所には結合方向と交差する方向に沿って外向きに突出する複数の嵌合爪１５が形成され、カバー２には開口面との間に薄肉の壁部を挟む形で結合方向と交差する方向に沿って内向きに開口した複数の嵌合溝２２が要所に設けられ、ボディ１に対してカバー２を結合向きに押しつけたときに嵌合爪１５が弾性変形し壁部を乗り越えて嵌合溝２２と嵌合することでボディ１とカバー２が結合される構造を有している。
【０００４】
また、ボディ１とカバー２の開口面には結合方向と交差する方向に沿って外向きに開口し板状の部材（例えば、硬貨）が挿入される挿入凹部１６，２７が設けられている。つまり、硬貨の端部を挿入凹部１６，２７に挿入した状態で当該硬貨をこじれば、ボディ１とカバー２に対して反結合方向の力が加わり、嵌合爪１５が弾性変形して壁部を乗り越えることで嵌合溝２２との嵌合が外れてボディ１とカバー２を分離することができる。但し、嵌合爪１５は薄肉の板状に形成されているために中央部に比べて両端部の方が撓み易いので、硬貨をこじる際の力が小さくて済むように、２つの嵌合爪１５，１５並びに嵌合溝２２，２２の間に挿入凹部１６，２７が配置されていた（図４参照）。
【特許文献１】特開平９−１９９８６９号公報
【特許文献２】特開２０００−１５１１３４号公報
【特許文献３】特開平１１−３３０７１３号公報
【発明の開示】
【発明が解決しようとする課題】
【０００５】
上述のように従来の外郭構造においては、２つの嵌合爪１５，１５並びに嵌合溝２２，２２の間に挿入凹部１６，２７が配置されていたため、外郭のデザインや機能（例えば、防水性など）上の制約などを十分に考慮した位置に嵌合爪等を配置する必要があった。一方、２つの嵌合爪１５，１５並びに嵌合溝２２，２２の間に挿入凹部１６，２７を配置しなかった場合、硬貨をこじる際の力が増大して操作性が低下したり、あるいは、嵌合爪１５や嵌合溝２２に過大な力が加わって塑性変形してしまう虞があった。これに対して嵌合爪１５，１５と嵌合溝２２，２２との嵌合量を少なくすると、落下による衝撃で嵌合爪１５，１５と嵌合溝２２，２２の嵌合が容易に外れてしまうという不具合が生じるため、結果的に外郭を分離する際の良好な操作性と適当な嵌合強度を両立することは困難であった。
【０００６】
本発明は上記事情に鑑みて為されたものであり、その目的は、外郭を分離する際の良好な操作性と適当な嵌合強度を両立しつつデザインや機能上の制約が少ない電気機器の外郭構造を提供することにある。
【課題を解決するための手段】
【０００７】
請求項１の発明は、上記目的を達成するために、合成樹脂成形品からなる外郭内に電気部品を収納してなる電気機器の外郭構造であって、外郭は、一面が開口した箱状のボディとカバーを有し互いの開口面を突き合わせる形でボディとカバーを結合してなり、ボディの開口面には結合方向に沿ってカバーに近づく向きに突出する突壁が設けられるとともに、突壁の外周面における要所には結合方向と交差する方向に沿って外向きに突出する複数の嵌合爪が形成され、カバーには開口面との間に薄肉の壁部を挟む形で結合方向と交差する方向に沿って内向きに開口した複数の嵌合溝が要所に設けられ、ボディとカバーを互いに結合向きに押しつけたときに嵌合爪が弾性変形し壁部を乗り越えて嵌合溝と嵌合することでボディとカバーが結合されるものにおいて、ボディとカバーの開口面には結合方向と交差する方向に沿って外向きに開口し板状の部材が挿入される挿入凹部が設けられ、何れかの嵌合爪並びに当該嵌合爪と嵌合する嵌合溝に対して結合方向と交差する方向において重なる位置に前記挿入凹部が配置されるとともに、結合方向と交差する方向において挿入凹部と重なる位置にある嵌合爪の開口面に沿った両端部が外側に向かって徐々に突出量が小さくなるように傾斜していることを特徴とする。
【発明の効果】
【０００８】
請求項１の発明によれば、硬貨のような板状の部材が挿入される挿入凹部が何れかの嵌合爪並びに当該嵌合爪と嵌合する嵌合溝に対して結合方向と交差する方向において重なる位置に配置されているので、従来例に比較して嵌合爪、嵌合溝、挿入凹部の配置に関するデザインや機能上の制約が少なくなり、しかも、結合方向と交差する方向において挿入凹部と重なる位置にある嵌合爪の開口面に沿った両端部が外側に向かって徐々に突出量が小さくなるように傾斜しているので、嵌合爪と嵌合溝との嵌合量を減らさなくても両者の嵌合を容易に外すことが可能であって外郭を分離する際の良好な操作性と適当な嵌合強度を両立することができる。
【発明を実施するための最良の形態】
【０００９】
以下、図面を参照して本発明の実施形態を詳細に説明する。なお、本実施形態で例示する電気機器は、自動二輪車に搭載された主装置（図示せず）との間で無線通信を行い、予め割り当てられている識別符号（ＩＤ）を主装置に送信する発信機であって、主装置における識別符号の認証が成功したときにだけセルモータによるエンジン始動が許可されるようになっている。但し、本発明の技術思想が適用可能な電気機器は本実施形態に限定されるものではない。
【００１０】
本実施形態の電気機器は、図１に示すように合成樹脂成形品からなる外郭と、外郭内に収納されるプリント配線板３と、同じく外郭内に収納される防水パッキン４とで構成される。なお、以下の説明では図１（ａ）を基準にして上下左右の向きを規定するとともに、同図（ｃ）における上下の向きを前後の向きと規定する。
【００１１】
外郭は扁平な略直方体状であって、一面が開口した箱状のボディ１とカバー２を有し互いの開口面を突き合わせる形でボディ１とカバー２を結合して構成される。ボディ１は、上部を除く略全体に収納凹所１０が設けられ、上部にはロック機構が設けられている。また、収納凹所１０の右端側には角筒状のエンジンキー収納部１１が設けられ、ボディ１の背面側上部に開口した挿入口（図示せず）から自動二輪車のエンジンキーのキー部分を挿入し、エンジンキーがエンジンキー収納部１１から抜け落ちないようにロック機構でロックするようになっている。このロック機構は、ボディ１上部の背面側に露出する操作部１２ａとエンジンキーの一部に係止する係止爪（図示せず）とが一体に形成されたロック部材１２がボディ１上部において左右方向に移動自在に保持されるとともに、係止爪がエンジンキー収納部１１の挿入口に近づく向きにコイルばね１３で弾性付勢されて構成されている。したがって、操作部１２ａを操作し、コイルばね１３のばね力に抗してロック部材１２を移動させれば、係止爪とエンジンキーの係止が外れてエンジンキー収納部１１からエンジンキーを引き抜くことができる。
【００１２】
ボディ１の開口面における収納凹所１０の周囲には結合方向（前後方向）に沿ってカバー２に近づく向き（前向き）に突出する突壁１４が全周に渡って突設されている。突壁１４は前方からみて略矩形枠状に形成され、結合方向と交差する方向（上下方向又は左右方向）に沿って外向きに突出する複数（図示例では５つ）の嵌合爪１５1〜１５5が上下左右の四辺における外周面に設けられている。上辺には２つの嵌合爪１５1，１５2が左右両側の端部近傍に設けられ、左右両辺並びに下辺には各々１つの嵌合爪１５3，１５4，１５5が設けられている。ここで、嵌合爪１５5は突壁１４下辺の左右方向略中央に設けられるとともに、開口面に沿った両端部（左右方向における両端部）が外側に向かって徐々に突出量が小さくなるように傾斜する形状に形成されている（図１（ｅ）参照）。
【００１３】
また、ボディ１開口面の下端部には、円弧状であって前方並びに下方に開口する挿入凹部１６が凹設されている。この挿入凹部１６は、ボディ１とカバー２の結合方向と交差する方向（上下方向）において嵌合爪１５5と重なる位置（左右方向における中央）に配置されている（図１（ｅ）参照）。さらに、ボディ１開口面における左上端並びに右下端にはカバー２との位置決め用のダボ１７，１７が突設されている。
【００１４】
一方、カバー２もボディ１と同様に上部を除く略全体に収納凹所２０が設けられている。収納凹所２０における上下左右の内壁面には、内側に向かって僅かに突出する段部２１が全周に渡って設けられ、さらに、上下左右の内壁面における段部２１前面と開口面との間の部位には、開口面との間に薄肉の壁部２３を挟む形で結合方向と交差する方向（上下方向又は左右方向）に沿って内向きに開口した複数（図示例では５つ）の嵌合溝２２1〜２２5が凹設されている。これら５つの嵌合溝２２1〜２２5は各々ボディ１の嵌合爪１５1〜１５5と各別に嵌合するものであって、内壁面の上部における左右両側の端部近傍に嵌合溝２２1，２２2が設けられ、内壁面の左右両端部並びに下部に嵌合溝２２3，２２4，２２5が設けられている。また、カバー２開口面における右上端並びに左下端にはボディ１のダボ１７，１７と嵌合する位置決め用の嵌合孔２６，２６が設けられている。さらに、カバー２開口面の下端部には、円弧状であって後方並びに下方に開口する挿入凹部２７が凹設されている。この挿入凹部２７は、ボディ１とカバー２の結合方向と交差する方向（上下方向）において嵌合溝２２5と重なる位置（左右方向における中央）に配置されている（図１（ｄ）参照）。
【００１５】
カバー２の収納凹所２０に防水パッキン４が収納される。防水パッキン４は、弾力性を有する合成樹脂材料によって扁平な矩形箱状に形成され、前面には、有底円筒形状の表示用突起４１と、後述するタクトスイッチＴＳを操作するための円柱状の操作用突起４２とが前方に向かって突設されている。そして、カバー２の前壁に貫設されている位置決め孔２４並びに操作孔２５に表示用突起４１及び操作用突起４２を挿通し内壁面並びに底壁面に密着するようにして防水パッキン４がカバー２の収納凹所２０内に収納される（図１（ｂ）（ｃ）参照）。ここで、防水パッキン４の外周面における前端近傍には、後方から段部２１に当接する外鍔部４０が全周に渡って設けられている。
【００１６】
プリント配線板３は、表面（前面）にＩＣやチップ抵抗、タクトスイッチＴＳ、表示用の発光ダイオードなどの電子部品が実装されるとともに、裏面（背面）にはボタン型電池Ｂを保持する電池ケース５とチップ型のアンテナ６が実装されており、表面をカバー２側に向けた形で防水パッキン４の内側に収納される。但し、防水パッキン４の内壁面から内向きに突設された複数の係合突起４３がプリント配線板３の端縁に係合することでプリント配線板３が保持されている。ここで、防水パッキン４の内側にプリント配線板３が収納された状態では、防水パッキン４の表示用突起４１の背面側に表示用の発光ダイオードが対向し、発光ダイオードの発する光が表示用突起４１の底面を透過して外部に照射され、また、防水パッキン４の操作用突起４２の背面側にはタクトスイッチＴＳの操作釦が当接しており（図１（ｂ）参照）、操作用突起４２を外部から押操作することでタクトスイッチＴＳをオン操作することができる。
【００１７】
次に、本実施形態の外郭を組み立てる手順を説明する。
【００１８】
まずカバー２の収納凹所２０に防水パッキン４を収納した後、防水パッキン４の内側にプリント配線板３を収納する。続いて、互いの開口面同士を突き合わせるとともにボディ１のダボ１７，１７とカバー２の嵌合孔２６，２６を嵌合するようにボディ１とカバー２を互いに押しつければ、嵌合爪１５1〜１５5が弾性変形し、やがて薄肉の壁部２３を乗り越えて各々嵌合溝２２1〜２２5と嵌合することでボディ１とカバー２が結合される。また、ボディ１の突壁１４が全周に渡って防水パッキン４の外鍔部４０に当接するため、ボディ１とカバー２の結合面に生じる隙間を防水パッキン４の外鍔部４０によってシールすることができて電気機器の防水性が向上するものである。
【００１９】
ここで、嵌合爪１５1〜１５4と嵌合溝２２1〜２２4との嵌合量は結合面に沿った方向において均一である。しかしながら、両端部が傾斜している嵌合爪１５5と嵌合溝２２5との嵌合量は、中央部の嵌合量ｘに対して両端部の嵌合量ｙが少なくなっている（図２参照）。
【００２０】
一方、電池Ｂの交換時等において、図３に示すようにボディ１とカバー２の挿入凹部１６，２７に硬貨Ｃの端部を挿入して硬貨Ｃをこじれば、ボディ１とカバー２に各々反結合向きの力がはたらいて嵌合爪１５5が変形し、中央部よりも嵌合量が少ない嵌合爪１５5の両端部が先に壁部２３を乗り越えて嵌合溝２２5との嵌合が外れ、さらに残りの嵌合爪１５1〜１５4と嵌合溝２２1〜２２4の嵌合も全て外れればボディ１からカバー２を分離することができる。
【００２１】
而して、本実施形態では硬貨Ｃが挿入される挿入凹部１６，２７が嵌合爪１５5並びに当該嵌合爪１５5と嵌合する嵌合溝２２5に対して結合方向と交差する方向において重なる位置に配置されているので、従来例に比較して嵌合爪１５、嵌合溝２２、挿入凹部１６，２７の配置に関するデザインや機能上の制約が少なくなり、しかも、結合方向と交差する方向において挿入凹部１６，２７と重なる位置にある嵌合爪１５5の開口面に沿った両端部が外側に向かって徐々に突出量が小さくなるように傾斜しているので、嵌合爪１５5と嵌合溝２２5との嵌合量（中央部の嵌合量ｘ）を減らさなくても両者の嵌合を容易に外すことが可能であって外郭を分離する際の良好な操作性と適当な嵌合強度を両立することができる。特に、ボディ１とカバー２の成形材料として、強度が高い代わりに弾力性が低いもの（例えば、ガラス繊維を混入したＡＢＳ樹脂など）を使用した場合、挿入凹部１６，２７と重なる嵌合爪１５5の両端部に傾斜を設けなければ嵌合爪１５5若しくは挿入凹部１６，２７が塑性変形したり破損する虞があるが、本実施形態のように嵌合爪１５5の両端部に傾斜を設けることで嵌合爪１５5や挿入凹部１６，２７の塑性変形又は破損を防止することができる。言い換えると、デザイン上の制約によって挿入凹部１６，２７が設けられているボディ１とカバー２の下端部の肉厚を薄くしなければならない場合にも十分に対応可能となる。
【図面の簡単な説明】
【００２２】
【図１】本発明の実施形態を示し、（ａ）は正面図、（ｂ）は同図（ａ）のＣ−Ｃ線断面矢視図、（ｃ）は同図（ａ）のＤ−Ｄ線断面矢視図、（ｄ）はカバーの背面図、（ｅ）はボディの正面図である。
【図２】同上を示し、（ａ）は図１（ａ）のＥ−Ｅ線断面矢視図、（ｂ）は図１（ａ）のＦ−Ｆ線断面矢視図である。
【図３】同上の背面側からみた斜視図である。
【図４】従来例を示し、（ａ）はカバーの背面図、（ｂ）はボディの正面図である。
【符号の説明】
【００２３】
１  ボディ
２  カバー
３  プリント配線板
４  防水パッキン
１０  収納凹所
１４  突壁
１５1〜１５5  嵌合爪
１６  挿入凹部
２０  収納凹所
２２1〜２２5  嵌合溝
２３  壁部
２７  挿入凹部
【図１】
2007299803.tif 000003
【図２】
2007299803.tif 000004
【図３】
2007299803.tif 000005
【図４】
2007299803.tif 000006